(57)【要約】【課題】スイッチング電源回路に供給されるＡＣ電源の減電圧をスイッチングトランスの出力する電圧の負側を整流したマイナスの整流電圧に基づいて検出する減電圧検出回路において、Ｐ−ＯＮ時とスタンバイ時とでスイッチング電源回路のフィードバック経路が切換わる場合に、スタンバイ時の減電圧検出を効きにくくする。【解決手段】整流回路６１と、抵抗Ｒ１と、抵抗Ｒ２と、ツェナダイオードＤ１と、トランジスタＴｒ１と、整流回路６２と、抵抗Ｒ３と、ツェナダイオードＤ２と、を備える。【選択図】図２
2012235618.tif 000002
【特許請求の範囲】
【請求項１】
スイッチングトランス出力のプラスの整流電圧が一定となるようにフィードバック制御を行うスイッチング電源回路に供給されるＡＣ電源にかかる減電圧を検出する減電圧検出回路において、
前記スイッチングトランス出力のマイナスの整流電圧を生成する第１整流回路と、
所定の定電圧ラインに一端を接続された第１抵抗と、
前記第１抵抗の他端に一端を接続された第２抵抗と、
前記第２抵抗の他端にカソードを接続され、前記マイナスの整流電圧をアノードに入力された第１ツェナダイオードと、
前記第１抵抗と前記第２抵抗の接続点にベースを接続され、グランドにエミッタを接続されたトランジスタと、
前記スイッチング電源回路を備える装置がオン状態のときには所定の正の定電圧を生成して前記第１抵抗と前記第２抵抗の接続点に入力し、前記装置がスタンバイ状態のときには前記第１抵抗と前記第２抵抗の接続点に所定の正の定電圧を入力しない調整電圧生成回路と、
を備え、
前記ＡＣ電源に減電圧が発生すると前記トランジスタのベース電圧が上昇して前記トランジスタがターンオンし、前記トランジスタのコレクタの接続先をグランドに引き込むことを特徴とする減電圧検出回路。
【請求項２】
前記調整電圧生成回路は、前記スイッチングトランス出力のプラスの整流電圧を生成する第２整流回路と、前記第１抵抗と前記第２抵抗の接続点に一端を接続された第３抵抗と、前記第３抵抗の他端にアノードを接続され、前記プラスの整流電圧をカソードに入力された第２ツェナダイオードと、を備え、
前記装置がオン状態のときの前記プラスの整流電圧は、前記装置がスタンバイ状態のときの前記プラスの整流電圧より大きく、
前記第２ツェナダイオードは、前記装置がオン状態のときは前記プラスの整流電圧により降伏し、前記装置がスタンバイ状態のときは前記プラスの整流電圧により降伏しないことを特徴とする請求項１に記載の減電圧検出回路。
【発明の詳細な説明】
【技術分野】
【０００１】
本発明は、減電圧検出回路に関し、特にスイッチングトランス出力のプラスの整流電圧が一定となるようにフィードバック制御を行うスイッチング電源回路に供給されるＡＣ電源にかかる減電圧を検出する減電圧検出回路に関する。
【背景技術】
【０００２】
一般に、ＲＣＣ（リンギングチョークコンバーター）方式等のスイッチング電源回路におけるＡＣ入力電圧の減電圧の検出は、スイッチングトランスの１次側の電圧に基づいて行われることが多いが（特許文献２，３等）、スイッチングトランスの２次側の電圧にｍとづいて行われることもある（例えば特許文献１等）。減電圧検出をスイッチングトランスの２次側で行う場合、スイッチングトランス出力のマイナスの整流電圧に基づいて行うことが一般的である。スイッチングトランス出力のプラスの整流電圧はスイッチング電源回路のＡＣ入力電圧の変動に追随しないが、スイッチングトランス出力のマイナスの整流電圧は、スイッチング電源回路のＡＣ入力電圧の変動に追随して変動するためである。
【先行技術文献】
【特許文献】
【０００３】
【特許文献１】特開２０１０−６８６３１号公報
【特許文献２】特開２００８−２１９６５８号公報
【特許文献３】特開２０１１−１０４９４号公報
【発明の概要】
【発明が解決しようとする課題】
【０００４】
図４は、本願の発明者が本願以前に発明した減電圧検出回路の構成を示す回路図である。同図において、減電圧検出回路２６０は、整流回路２６１と、ツェナダイオードＤ２１と、抵抗Ｒ２１，Ｒ２２と、トランジスタＴｒ２１と、を備えている。整流回路２６１はスイッチングトランス出力のマイナス側を整流したマイナス整流電圧Ｖｍｓを生成する（図のＡ点に発生）。
【０００５】
抵抗Ｒ２１，Ｒ２２とツェナダイオードＤ２１は、図のＡ点と所定の定電圧Ｖｃｃ（図では、Ａｌｌ３．３Ｖ）の伝送ラインとの間を、Ｒ２１，Ｒ２２，Ｄ２１の順で直列接続する。このとき、ツェナダイオードＤ２１は、アノードをＡ点に向け、カソードを所定の定電圧Ｖｃｃのラインに向けて接続される。トランジスタＴｒ２１は、ベースを抵抗Ｒ２１，Ｒ２２の接続点（図のＸ点）に接続され、エミッタをグランドに接続され、コレクタをリセットラインに接続される。
【０００６】
このリセットラインは、スイッチング電源回路を備える当該装置全体を制御する制御回路のリセット端子と不図示のリセット回路とを接続しており、当該装置がオンされている間は（当該制御回路がＰ−ＯＮ時とスタンバイ時との双方で制御動作を行う場合はＰ−ＯＮ時とスタンバイ時との双方、当該制御回路がＰ−ＯＮ時のみ制御動作を行う場合はＰ−ＯＮ時）、リセットの解除を指示するリセット信号がリセット回路から制御回路のリセット端子へ入力され、当該装置の電源がオフされると、リセット信号は入力されなくなる。なお、同図に示す例では、当該装置のオン時は正論理の電圧信号が入力され、オフ時は負論理の電圧信号が入力されるものとし、当該リセット回路は、負論理が入力されるとリセット状態となり、正論理が入力されるとリセットが解除される。
【０００７】
ここで、トランジスタＴｒ２１がオンすると、リセットラインをグランドに引き込むことによりリセットラインにて伝送される電圧信号を負論理とし、当該装置全体をリセット状態とする。よって、装置に供給されているＡＣ電源に減電圧が発生したときに、当該装置をリセット状態とすることにより装置を安全に停止し、装置のフリーズを防止できる。
【０００８】
しかしながら、スイッチング電源回路は、通常、スイッチングトランスの２次巻線に出力される２次電圧に基づいて１次側の制御回路に対してフィードバック信号を出力するフィードバック回路を備えており、フィードバック回路が監視している出力は、２次巻線から出力される正電圧を整流したプラス整流電圧である。また、装置がオン状態とスタンバイ状態とでフィードバック信号を生成する回路のフィードバック経路が変更される場合がある。例えば図５に示すフィードバック回路２５０ように、トランジスタＱ６３４のベースに対して入力されるＰ−ＯＮ−Ｈ信号をオンオフすることにより、Ｐ−ＯＮ時とスタンバイ時とでスイッチング電源回路の１次側にある制御回路に対するフィードバック経路が切換わるように構成されている。すなわち、Ｐ−ＯＮ時は、Ｐ−ＯＮ−Ｈ信号が入力されてトランジスタＱ６３４をオンし、このとき第１の電流経路には電流が流れず、第２の電流経路には電流が流れるため、トランジスタＱ６３１のベース電圧は第２の電流経路に流れる電流にて決定される。このベース電圧がトランジスタＱ６３１のベース−エミッタ電圧とツェナダイオードＤ６５２のツェナー電圧を合わせた電圧を超えるとトランジスタＱ６３１がターンオンしてフォトカプラＩＣ６０１を点灯させることにより、１次側にフィードバック信号が入力される。一方、スタンバイ時はＰ−ＯＮ−Ｈ信号が入力されないためトランジスタＱ６３４がオフし、このとき第１の電流経路と第２の電流経路の双方に電流が流れるため、トランジスタＱ６３１のベース電圧は第１の電流経路と第２の電流経路の双方に流れる電流にて決定される。
【０００９】
このとき、減電圧検出回路２６０は、例えば、Ｐ−ＯＮ時にはＡＣ電源が８０Ｖより低下したときに減電圧として検出するのに対しスタンバイ時にはＡＣ電源が９０Ｖより低下したときに減電圧として検出するといった現象が発生し、ＳＴＢＹ時にＰ−ＯＮ時より高い電圧で減電圧としてしまう可能性があった。しかし、機器の安定動作のためには、ＡＣ１２０Ｖ（ＡＣ電源の定格）から所定量だけ減少した電圧（例えば、ＡＣ１２０Ｖの−２０％の９６Ｖ等）までの減電であれば、減電検出によるリセットを行うことなく正常動作させることが要求される。このとき、Ｐ−ＯＮ時は１６Ｖのマージンがあるが、ＳＴＢＹ時は６Ｖのマージンしかない。低温時の電解容量抜けによるリップル増加等に起因して、ＳＴＢＹ時にＡＣ９０Ｖを減電検出する可能性があるため、６Ｖのマージンは不十分である。
【００１０】
本発明は、上記課題に鑑みてなされたもので、スイッチング電源回路に供給されるＡＣ電源の減電圧をスイッチングトランス出力のマイナスの整流電圧に基づいて検出する減電圧検出回路において、Ｐ−ＯＮ時とスタンバイ時とでスイッチング電源回路のフィードバック経路が切換わる場合に、Ｐ−ＯＮ時とスタンバイ時とで減電圧検出の効きやすさを調整することが可能な減電圧検出回路の提供を目的とする。
【課題を解決するための手段】
【００１１】
本発明の態様の１つは、スイッチングトランス出力のプラスの整流電圧が一定となるようにフィードバック制御を行うスイッチング電源回路に供給されるＡＣ電源にかかる減電圧を検出する減電圧検出回路において、前記スイッチングトランス出力のマイナスの整流電圧を生成する第１整流回路と、所定の定電圧ラインに一端を接続された第１抵抗と、前記第１抵抗の他端に一端を接続された第２抵抗と、前記第２抵抗の他端にカソードを接続され、前記マイナスの整流電圧をアノードに入力された第１ツェナダイオードと、前記第１抵抗と前記第２抵抗の接続点にベースを接続され、グランドにエミッタを接続されたトランジスタと、前記スイッチング電源回路を備える装置がオン状態のときには所定の正の定電圧を生成して前記第１抵抗と前記第２抵抗の接続点に入力し、前記装置がスタンバイ状態のときには前記第１抵抗と前記第２抵抗の接続点に所定の正の定電圧を入力しない調整電圧生成回路と、を備え、前記ＡＣ電源に減電圧が発生すると前記トランジスタのベース電圧が上昇して前記トランジスタがターンオンし、前記トランジスタのコレクタの接続先をグランドに引き込む構成とされる。
【００１２】
なお、上述した減電圧検出回路は、他の機器に組み込まれた状態で実施されたり他の方法とともに実施されたりする等の各種の態様を含む。
【発明の効果】
【００１３】
本発明によれば、スイッチング電源回路に供給されるＡＣ電源の減電圧をスイッチングトランス出力の負側を整流した整流電圧に基づいて検出する減電圧検出回路において、Ｐ−ＯＮ時とスタンバイ時とでスイッチング電源回路のフィードバック経路が切換わる場合に、スタンバイ時の減電圧検出を効きにくく調整することができる。
請求項２にかかる発明によれば、スイッチングトランス出力の正側を整流した整流電圧
を利用して、調整電圧生成回路を構成することができる。
【図面の簡単な説明】
【００１４】
【図１】電源回路の概略構成を示すブロック図である。
【図２】減電圧検出回路の一例を示す回路図である。
【図３】減電圧検出回路の他の一例を示す要部回路図である。
【図４】従来の減電圧検出回路の一例を示す回路図である。
【図５】フィードバック回路の一例を示す回路図である。
【発明を実施するための形態】
【００１５】
以下、下記の順序に従って本発明の実施形態を説明する。
（１）本実施形態の構成：
（２）変形例：
【００１６】
（１）本実施形態の構成： 
図１は、スイッチング電源回路の概略構成を示すブロック図である。同図に示すスイッチング電源回路１００は、ＡＣ電源入力端子１０と、１次側整流回路２０と、スイッチングトランス３０と、制御回路４０と、フィードバック回路５０と、減電圧検出回路６０と、を備えている。ＡＣ電源入力端子１０には、外部の商用交流電源などが入力されている。１次側整流回路２０は、ＡＣ電源入力端子１０から入力されるＡＣ電源を整流し、直流を生成する。スイッチングトランス３０は、１次側整流回路２０の生成した直流を１次巻線に印加されている。
【００１７】
制御回路４０は、スイッチングトランス３０の１次巻線に印加する直流をＰＷＭ制御等により周期的にオンオフ切替えている。その結果、スイッチングトランス３０の２次巻線には、制御回路４０のオンオフ制御に応じて、正電圧と負電圧が交互に出力される。フィードバック回路５０は、当該２次巻線に出力される電圧の負側を整流した整流電圧が所定値を超えると制御回路４０にフィードバック信号を出力する。制御回路４０は、スイッチングトランス３０の２次巻線から出力される電圧のプラスの整流電圧が一定となるようにフィードバック制御を行っており、例えば、フィードバック信号を入力されるとスイッチングトランス３０の２次巻線に出力される正の整流電圧が低下するようにフィードバック制御し、フィードバック信号が入力されないときはスイッチングトランス３０の２次巻線のプラス側の整流電圧が上昇するようにフィードバック制御する。フィードバック回路５０の具体的構成としては、上述した図５に示すフィードバック回路２５０等を採用することができる。
【００１８】
図２は、減電圧検出回路の一例を示す回路図である。同図において、減電圧検出回路６０は、整流回路６１と、ツェナダイオードＤ１と、抵抗Ｒ１，Ｒ２と、トランジスタＴｒ１と、整流回路６２と、ツェナダイオードＤ２と、抵抗Ｒ３と、を備えている。整流回路６１はスイッチングトランス３０の出力のマイナス側を整流したマイナス整流電圧Ｖｍｓを生成し（図のＡ点に発生）、整流回路６２はスイッチングトランス３０の出力のプラス側を整流したプラス整流電圧Ｖｐｓを生成する（図のＢ点に発生）。同図では、整流回路６１と整流回路６２は、スイッチングトランス３０の同じ出力端子の出力電圧を整流しているが、むろん、異なる端子の出力を整流して整流電圧を生成してもよい。なお、本実施形態において、整流回路６１は第１整流回路を構成し、整流回路６２は第２整流回路を構成する。
【００１９】
抵抗Ｒ１，Ｒ２とツェナダイオードＤ１は、図のＡ点と所定の定電圧Ｖｃｃ（図では、Ａｌｌ３．３Ｖ）のラインとの間を、Ｒ１，Ｒ２，Ｄ１の順で直列接続する。このとき、ツェナダイオードＤ１は、アノードをＡ点に向け、カソードを所定の定電圧Ｖｃｃのラインに向けて接続される。トランジスタＴｒ１は、ベースを抵抗Ｒ１，Ｒ２の接続点（図のＣ点）に接続され、エミッタをグランドに接続され、コレクタをリセットラインに接続される。なお、本実施形態において、Ｖｃｃのラインは所定の定電圧ラインを構成し、抵抗Ｒ１は第１抵抗を構成し、抵抗Ｒ２は第２抵抗を構成し、ツェナダイオードＤ１は第１ツェナダイオードを構成し、トランジスタＴｒ１はトランジスタを構成する。
【００２０】
このリセットラインは、スイッチング電源回路１００を備える当該装置全体を制御する制御回路のリセット端子と不図示のリセット回路とを接続しており、当該装置がオンされている間は（当該制御回路がＰ−ＯＮ時とスタンバイ時との双方で制御動作を行う場合はＰ−ＯＮ時とスタンバイ時との双方、当該制御回路がＰ−ＯＮ時のみ制御動作を行う場合はＰ−ＯＮ時）、リセットの解除を指示するリセット信号がリセット回路からリセット端子へと入力され、当該装置の電源がオフされると、リセット回路からリセット信号が入力されなくなる。なお、同図に示す例では、当該装置のオン時はリセット信号として正論理の電圧信号が入力され、オフ時は負論理の電圧信号が入力されるものとし、当該リセット回路は、負論理が入力されるとリセット状態となり、正論理が入力されるとリセットが解除される。
【００２１】
ここで、トランジスタＴｒ１がオンすると、リセットラインをグランドに引き込むことによりリセットラインにて伝送される電圧信号を負論理とし、当該装置全体をリセット状態とする。よって、ＡＣ電源入力端子１０に入力されるＡＣ電源に減電圧が発生したときに、当該装置をリセット状態とすることにより装置を安全に停止し、装置のフリーズを防止できる。
【００２２】
なお、スイッチング電源回路１００を備える当該装置には、オフ状態、スタンバイ状態、オン状態、の３つの電源状態がある。オフ状態は、装置の何れの構成要素にも電源電圧が供給されていない状態であり、例えば、電源プラグを外部の電源ソケットに挿入していない状態、主電源がオフされている状態である。スタンバイ状態は、リモコン等の操作部からオン状態への移行指示が為されるのを待機している状態であり、電源プラグを外部の電源ソケットに挿入され、リモコン信号受信回路に電源供給されつつ他の回路に電源供給されていない状態である。オン状態は、装置がユーザーによって使用されている状態であり、電源プラグを外部の電源ソケットに挿入され、主要な回路に電源供給されている状態である。
【００２３】
抵抗Ｒ３とツェナダイオードＤ２は、図のＢ点と抵抗Ｒ１，Ｒ２の接続点との間を、Ｄ２，Ｒ３の順に直列接続する。このとき、ツェナダイオードＤ２は、アノードを抵抗Ｒ１，Ｒ２の接続点に向け、カソードをＢ点に向けて接続される。なお、本実施形態において、抵抗Ｒ３が第３抵抗を構成し、ツェナダイオードＤ２が第２ツェナダイオードを構成する。
【００２４】
ここで、ツェナダイオードＤ２の定格は、装置がオン状態のときにＢ点に発生するプラス整流電圧Ｖｐｓによって降伏し、装置がスタンバイ状態のときにＢ点に発生するプラス整流電圧Ｖｐｓでは降伏しないように選択される。従って、装置がオン状態のときは、所定の定電圧ＶｃｃラインとＢ点のプラス整流電圧ＶｐｓのラインとがＣ点に接続され、プラス整流電圧ＶｐｓがＣ点の電位を上昇させる。すなわち、装置がオン状態のときには、プラス整流電圧ＶｐｓのラインをＣ点に接続しない状態に比べて、プラス整流電圧Ｖｐｓの作用によりＣ点の電位が高められる傾向で発生する。一方、装置がスタンバイ状態のときは、所定の定電圧ＶｃｃラインのみがＣ点に接続され、プラス整流電圧ＶｐｓはＣ点の電位に影響を与えない。すなわち、装置がスタンバイ状態のときは、プラス整流電圧Ｖｐｓの作用が無いため、Ｃ点の電位は、プラス整流電圧ＶｐｓのラインがＣ点に接続されない状態と同じ条件で発生する。
なお、本実施形態においては、整流回路６１からツェナダイオードＤ２や抵抗Ｒ３を介してＣ点に印加される電圧が所定の定電圧を構成し、整流回路６１とツェナダイオードＤ２と抵抗Ｒ３が調整電圧生成回路を構成する。
【００２５】
以上のように構成された減電圧検出回路６０において、各素子の定格は次の２条件を満たすように設定される。
すなわち、装置がオン状態であってＡＣ電源入力端子１０から入力されるＡＣ電源が所定の閾値Ｖｔｈ（不図示）以上のとき、プラス整流電圧Ｖｐｓとマイナス整流電圧Ｖｍｓと所定の定電圧ＶｃｃとによってツェナダイオードＤ１が降伏し、ツェナダイオードＤ１が降伏したときにトランジスタＴｒ１のベースに印加される電圧はトランジスタＴｒ１のターンオン電圧より低く、トランジスタＴｒ１はオンしない。
また、装置がオン状態であってＡＣ電源入力端子１０から入力されるＡＣ電源が所定の閾値Ｖｔｈよりも低下したとき、プラス整流電圧Ｖｐｓとマイナス整流電圧Ｖｍｓと所定の定電圧ＶｃｃとによってツェナダイオードＤ１は降伏せず、このとき、トランジスタＴｒ１のベースに印加される電圧はトランジスタＴｒ１のターンオン電圧より高く、トランジスタＴｒ１はオンする。
【００２６】
このように各素子の定格が設定された減電圧検出回路６０は、装置がスタンバイ状態においては、プラス整流電圧ＶｐｓのラインをＣ点に接続しない場合に比べるとＣ点の電圧が低くなるため、プラス整流電圧ＶｐｓのラインをＣ点に接続しない場合に比べて高いマイナス整流電圧Ｖｍｓにて、トランジスタＴｒ１をオンしうる電圧となる。すなわち、プラス整流電圧ＶｐｓのラインをＣ点に接続したことにより、スタンバイ状態における減電圧検出を効きにくくすることができる。
【００２７】
以上説明した実施形態によれば、整流回路６１と、抵抗Ｒ１と、抵抗Ｒ２と、ツェナダイオードＤ１と、トランジスタＴｒ１と、整流回路６２と、抵抗Ｒ３と、ツェナダイオードＤ２と、を備えることにより、スイッチング電源回路に供給されるＡＣ電源の減電圧をスイッチングトランスの出力する負側を整流したマイナスの整流電圧に基づいて検出する減電圧検出回路において、Ｐ−ＯＮ時とスタンバイ時とでスイッチング電源回路のフィードバック経路が切換わる場合に、スタンバイ時の減電圧検出を効きにくくすることができる。
【００２８】
（２）変形例： 
図３は、減電圧検出回路の他の一例を示す要部回路図である。同図に示す減電圧検出回路１６０は、整流回路１６１と、ツェナダイオードＤ１１と、抵抗Ｒ１１，Ｒ１２と、トランジスタＴｒ１１と、調整電圧生成回路１６２と、を備えている。なお、整流回路１６１とツェナダイオードＤ１１と抵抗Ｒ１１，Ｒ１２とトランジスタＴｒ１１は、上述した減電圧検出回路６０における整流回路６１とツェナダイオードＤ１と抵抗Ｒ１，Ｒ２とトランジスタＴｒ１と同様の構成であり、以下では詳細な説明を省略する。
【００２９】
調整電圧生成回路１６２は、上述した実施形態における整流回路６２、ツェナダイオードＤ２、抵抗Ｒ３と同様の作用を奏する回路であり、Ｃ点に接続されている。調整電圧生成回路１６２は、装置がオン状態のときは電圧を発生してＣ点の電位を上昇させ、装置がスタンバイ状態のときは、電圧を発生させずにＣ点の電位に影響を与えない。すなわち、調整電圧生成回路１６２は、装置がオン状態のときには、調整電圧生成回路１６２をＣ点に接続しない場合に比べてＣ点の電位を高める作用を奏し、装置がスタンバイ状態のときは、調整電圧生成回路１６２をＣ点に接続しない場合とＣ点の電位が同じ傾向で発生するようにする。
【００３０】
以上のように構成された減電圧検出回路６０において、各素子の定格は、次の２条件を満たすように設定される。
装置がオン状態であってＡＣ電源入力端子１０から入力されるＡＣ電源が所定の閾値Ｖｔｈ（不図示）以上のときに、調整電圧生成回路の出力する電圧とマイナス整流電圧Ｖｍｓと所定の定電圧Ｖｃｃとによってベースに印加される電圧はトランジスタＴｒ１１のターンオン電圧より低く、トランジスタＴｒ１１がオンしない。
装置がオン状態であってＡＣ電源入力端子１０から入力されるＡＣ電源が所定の閾値Ｖｔｈよりも低下したときに、調整電圧生成回路１６２の出力する電圧とマイナス整流電圧Ｖｍｓと所定の定電圧Ｖｃｃとによってベースに印加される電圧はトランジスタＴｒ１１のターンオン電圧より高く、トランジスタＴｒ１１がオンする。
【００３１】
このように各素子の定格が設定された減電圧検出回路６０は、装置がスタンバイ状態においては、調整電圧生成回路１６２をＣ点に接続しない場合に比べるとＣ点の電圧が低くなるため、調整電圧生成回路１６２をＣ点に接続しない場合に比べて高いマイナス整流電圧Ｖｍｓにて、トランジスタＴｒ１１をオンしうる電圧となる。すなわち、調整電圧生成回路１６２のラインをＣ点に接続したことにより、スタンバイ状態における減電圧検出を効きにくくすることができる。
【００３２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３３】
１０…ＡＣ電源入力端子、２０…１次側整流回路、３０…スイッチングトランス、４０…制御回路、５０…フィードバック回路、６０…減電圧検出回路、６１…整流回路、６２…整流回路、１００…スイッチング電源回路、１６０…減電圧検出回路、１６１…整流回路、１６２…調整電圧生成回路、Ｄ１…ツェナダイオード、Ｄ２…ツェナダイオード、Ｄ１１…ツェナダイオード、Ｒ１…抵抗、Ｒ２…抵抗、Ｒ３…抵抗、Ｒ１１…抵抗、Ｒ１２…抵抗、Ｔｒ１…トランジスタ、Ｔｒ１１…トランジスタ、Ｖｃｃ…定電圧、Ｖｍｓ…マイナス整流電圧、Ｖｐｓ…プラス整流電圧
【図１】
2012235618.tif 000003
【図２】
2012235618.tif 000004
【図３】
2012235618.tif 000005
【図４】
2012235618.tif 000006
【図５】
2012235618.tif 000007